(57)【特許請求の範囲】
【請求項１】
監視対象者の健康状態を管理する健康情報管理システムであって、
前記監視対象者の登録情報を登録する手段と、
前記登録情報に基づいて健康状態や病状の変化を正確に把握するために必要とされる生体情報の種類や種別を設定する健康レベルを設定する手段と、
睡眠習慣や睡眠中の体動、心電図、呼吸、心拍を計測する圧力センサ、便座に座った際の圧力を検出し、便座と床の荷重量を除いて荷重を計測することにより体重を計測し、この体重の変化量を計測することで排尿、排便の排泄量や排尿速度を計測し、便座に設けられた２つの電極を介して体脂肪率を計測するバイオセンサ、心電図、心拍数及び血圧を計測する血圧・心電図計測センサ、及び携帯型生体情報検出センサの少なくとも一つと通信可能であり、これらのセンサの少なくとも一つから生体情報が送信される監視ユニットと、
前記監視ユニットへ送信された生体情報を記憶する生体情報記憶手段と、
前記生体情報を計測した時刻に基づいて、起床や入浴、排泄の生活のパターンを記憶する生活パターン記憶手段と、
前記生体情報記憶手段に記憶された生体情報を、閾値情報または生活パターン情報と照合し、監視対象者の異常判断を行う異常判断手段と、
前記異常判断手段による判断に応じて、アドバイス情報を監視対象者に対して提示する処理を実行する手段と、を備えた健康情報管理システム。
【請求項２】
監視対象者の健康状態を管理する健康情報管理方法であって、
前記監視対象者の登録情報に基づいて健康状態や病状の変化を正確に把握するために必要とされる生体情報の種類や種別を設定する健康レベルを設定するステップと、
睡眠習慣や睡眠中の体動、心電図、呼吸、心拍を計測する圧力センサ、便座に座った際の圧力を検出し、便座と床の荷重量を除いて荷重を計測することにより体重を計測し、この体重の変化量を計測することで排尿、排便の排泄量や排尿速度を計測し、便座に設けられた２つの電極を介して体脂肪率を計測するバイオセンサ、心電図、心拍数及び血圧を計測する血圧・心電図計測センサ、及び携帯型生体情報検出センサの少なくとも一つと通信可能である監視ユニットへ、これらのセンサの少なくとも一つから生体情報が送信され、
前記監視ユニットへ送信された生体情報を生体情報記憶手段に記憶するステップと、
前記生体情報を計測した時刻に基づいて、起床や入浴、排泄の生活のパターンを記憶するステップと、
前記生体情報記憶手段に記憶された生体情報を、閾値情報または生活パターン情報と照合し、異常判断手段により監視対象者の異常判断を行うステップと、
前記異常判断手段による判断に応じて、アドバイス情報を監視対象者に対して提示する処理を実行するステップと、
を備え、上記各ステップをデータサーバが行なう健康情報管理方法。
【発明の詳細な説明】
【０００１】
【発明が属する技術分野】
本発明は、個人の健康状態を管理する健康情報管理システム及びその管理方法に関する。
【０００２】
【従来の技術】
従来より、来るべき高齢者社会において、息子や娘と離れて暮らす老親の生活を通信機器等でチェックし息子や娘に伝える「生活モニターシステム」には、通信機を内蔵した電化製品により人の日常生活をモニターして、遠隔のパソコンや携帯電話に表示するといった家庭内の電気製品の操作情報又は動作情報によって生活情報を監視するものがある。そして、その情報をインターネット等を介して送信し、このような多数の監視対象者の情報を蓄積し一元管理して、遠隔のパソコンにより監視することで監視対象者のプライバシーを保護しながら２４時間生活環境について安価な設備で監視対象者の情報の閲覧を行っている。
【０００３】
また、トイレや居間等の居住空間の便座やいす等に生活情報を計測するセンサを設置するとともに、ベッド等の寝具にセンサを埋め込み就寝時においても生体情報を計測できるようにし、これらの生体情報を一元管理する「健康情報管理システム」等もある。さらに具合が悪くなったときには、監視対象者が自分でボタンを押すことにより消防署等に知らせる緊急通報サービスは、現在約８割の市区町村で行われている。
【０００４】
【発明が解決しようとする課題】
しかしながら、従来の方法によると、次のような問題点があった。
【０００５】
（１）監視対象者の健康データは単なる数値のみであり、どのような生活習慣病が存在するのか、又はどの数値が悪いのかをフィードバックし検出する設定がない。
【０００６】
（２）従来の緊急通報は、気分が悪くなってから行われる処置であり、気分が悪くなる前の段階での情報を見落としがちで監視対象者の意識が無ければ通報することもできない。
【０００７】
本発明は、このような問題点を解決するためになされたものであり、監視対象者の適切な健康管理を実現することができる健康情報管理システムを提供することを目的としている。
【０００８】
【課題を解決するための手段】
本発明にかかる健康情報管理システムは、監視対象者の健康状態を管理する健康情報管理システムであって、前記監視対象者の登録情報を登録する手段（例えば本実施の形態における監視対象者情報記憶部１５１）と、前記登録情報に基づいて健康レベルを設定する手段（例えば本実施の形態における制御部１１）と、前記健康レベルに応じて決定された種類の生体情報であって計測され、監視ユニットより送信された生体情報を記憶する生体情報記憶手段（例えば本実施の形態における生体情報記憶部１５３）と、前記生体情報記憶手段に記憶された生体情報に基づいて監視対象者の異常判断を行う異常判断手段（例えば本実施の形態における異常判断手段１６）とを備えたものである。このような構成により、健康レベルに応じて生体情報を計測することで、監視対象者の健康状態を正確に把握することが可能である。また、異常判断により監視対象者の異常等に即時対応することが可能である。
【０００９】
上述の異常判断手段による判断に応じて、アドバイス情報（例えば本実施の形態における健康アドバイス情報）を監視対象者に対して提示する処理を実行する手段（例えば本実施の形態における表示部２５）をさらに備えても良い。このような構成により、アドバイス情報を参考にすることで、監視対象者は適切な健康管理を実現することができる。
【００１０】
また、上述の監視ユニットに接続され、前記生体情報を計測する計測手段（例えば本実施の形態におけるバイオセンサ５）をさらに備え、この計測手段は、前記監視対象者が便座に座っているか否かを検出する手段（例えば本実施の形態におけるロードセル）と、前記生体情報を計測する手段（例えば本実施の形態におけるロードセル又は成分計測器）と、便座に座っていることの検出に応じて生体情報の計測を開始し、便座から離れたことを検出して計測結果を監視ユニットに送信する手段（例えば本実施の形態におけるバイオセンサ５）を有しても良い。このような構成により、監視対象者の排泄の際に自動的に生体情報を計測して監視ユニットに送信することが可能である。
【００１１】
さらに上述の生体情報は、便座に加わる圧力に基づき計測される体重、体重の変化率により測定される排泄量及び電極を介して測定される体脂肪率のうちのいずれか１つ又はその組み合わせであることとしても良い。このような構成により、各種の生体情報を計測し監視対象者の適切な健康管理を実現することが可能である。
【００１２】
上述の異常判断は、前記生体情報記憶手段に記憶された生体情報に基づいて診断情報を作成し、さらにこの診断情報に基づいて生体情報を判断処理する手段（例えば本実施の形態における異常判断手段１６）により実行されることとしても良い。このような構成により、監視対象者の異常等の判断を正確に行うことが可能である。
【００１３】
また、本発明にかかる健康情報管理方法は、監視対象者の健康状態を管理する健康情報管理方法であって、前記監視対象者の登録情報を登録するステップと、前記登録情報に基づいて健康レベルを設定するステップと、前記健康レベルに応じて計測され、監視ユニットより送信された生体情報を生体情報記憶手段に記憶するステップと、前記生体情報記憶手段に記憶された生体情報に基づいて異常判断手段により監視対象者の異常判断を行うステップとを備えたものである。これにより、健康レベルに応じて生体情報を計測することで、監視対象者の健康状態を正確に把握することが可能である。また、異常判断により監視対象者の異常等に即時対応することが可能である。
【００１４】
上述の異常判断手段による判断に応じて、アドバイス情報を監視対象者に対して提示する処理を実行するステップをさらに備えても良い。これにより、アドバイス情報を参考にすることで、監視対象者は適切な健康管理を実現することができる。
【００１５】
【発明の実施の形態】
まず、本発明の実施の形態にかかる健康情報管理システムの特徴について簡単に説明する。当該システムにおいては、監視対象者の健康レベルに応じて監視対象者の生体情報を計測し蓄積することで、健康状態、病状の変化等を正確に把握することができるので、適切な健康の管理を行うことができる。トイレの便座、居間のソファー、浴槽、ベッド等の寝具に設置された生体情報センサや携帯型生体情報計測センサにより、監視対象者に対し無意識、無侵襲で生体情報を計測することができる。また、監視対象者の生体情報に基づいて閾値情報及び生活パターン情報を作成し、これらの閾値情報及び生活パターン情報と生体情報を比較することにより早期に疾病、病気の予兆等を発見し病状等が悪化する前に適切な処置を施すことができるので、適切かつ効果的な健康管理を実現することができる。緊急事態が発生した場合には、２４時間自動通報を実行する機能を備えているので、迅速に即時対応することができる。さらに、監視対象者に対して相談窓口を設置し、食事に関する指導や生活指導の専門家からアドバイスを受けることができるので、より適切な健康の管理を実現することができる。
【００１６】
続いて、本発明の実施の形態にかかる健康情報管理システムの詳細について、図面を用いて説明する。
【００１７】
図１に本発明にかかる健康情報管理システムの構成を示す。当該健康情報管理システムは、監視センタのデータサーバ１、監視対象者の端末２、監視ユニット３、圧力センサ４、バイオセンサ５、血圧・心電図計測センサ６、アドバイザの端末７、監視センタ８、監視対象者の自宅９、携帯型生体情報検出センサ１０、端末３０、３１及び通信網３２を備えている。
【００１８】
当該データサーバ１（サーバコンピュータ）は、監視センタ８に設置されており、当該データサーバ１によって、各監視対象者の健康管理に関する情報を格納し、また健康管理を支援するための各種機能を実現している。監視センタ８は、２４時間受付可能なコールセンタとしての機能も兼ねており、監視対象者からの緊急事態に対する対応も迅速且つ即時に行うことができる。
【００１９】
データサーバ１及び監視対象者の端末２の構成例を図２に示す。図２に示されるように、当該データサーバ１は、基本的な構成として、制御部１１、通信制御部１２、表示部１３、操作部１４、記憶部１５及び異常判断手段１６を備えている。当該制御部１１は、例えば、ＣＰＵ（中央制御装置）、ＲＯＭ、ＲＡＭ等により構成され、制御プログラムに基づいて各種処理を実現する機能を備えている。通信制御部１２は、通信網３２を介して各端末と通信を行う機能を備えている。表示部１３は、液晶ディスプレイ、ＣＲＴ等により構成され、データ、情報を当該監視センタのオペレータ等に対して表示する機能を有する表示手段である。操作部１４は、キーボード、マウス等の入力手段であり、当該監視センタのオペレータは、この操作部１４によって各種の入力処理が行うことができる。記憶部１５は、ハードディスク、ＲＡＭ等で構成され、データ、情報を読出し可能な状態で記憶する記憶手段である。異常判断手段１６は、閾値情報及び生活パターン情報に基づいて生体情報の異常判断処理を実行する機能を有する。
【００２０】
図３にこの記憶部１５の詳細を示す。当該記憶部１５は、監視対象者情報記憶部１５１、診断情報記憶部１５２、生体情報記憶部１５３、連絡情報記憶部１５４及びアドバイザ情報記憶部１５５を備えている。監視対象者情報記憶部１５１は、登録の際に取得した登録情報を格納する。当該登録情報は、例えば、監視対象者の氏名、住所、電話番号、緊急時連絡先、保険証番号、主治医、健康診断を受けた場所、既往病、現在服用している薬、過去一ヶ月の通院歴等である。さらに、登録により割り当てられる監視対象者の識別ＩＤ及び当該システムにログインし自己の生体情報等を閲覧するためのパスワードに関する情報が当該登録情報に関連付けられる。診断情報記憶部１５２は、生体情報に基づいて作成された診断情報を格納する。この診断情報には、閾値情報及び生活パターン情報等が含まれている。生体情報記憶部１５３は、各種のセンサ４、５、６及び１０が計測を行うことにより取得した生体情報を格納する。連絡情報記憶部１５４は、病院、救急車又は救急センタ等の連絡先情報を格納する。アドバイザ情報記憶部１５５は、アドバイザの端末７のメールアドレスを格納する。
【００２１】
図２において、監視対象者の端末２は、例えば、パーソナルコンピュータ（ＰＣ）、携帯端末、インターネット等への接続機能付きの携帯電話等であり、例えば監視対象者の自宅９に設置されている。当該監視対象者の端末２は、ＣＰＵ等より構成される制御部２１、通信網３２を介して監視センタのデータサーバ１と通信を行う通信制御部２２、メモリ、ハードディスク等の記憶部２３、キーボード、マウス等の入力部２４、液晶ディスプレイ等の表示部２５等を備えている。また、当該監視対象者の端末２では、その記憶部２３に、ＨＴＭＬデータやＸＭＬデータを表示データに変換するブラウザプログラムがインストールされている。
【００２２】
監視ユニット３は、圧力センサ４、バイオセンサ５、血圧・心電図計測センサ６及び携帯型生体情報検出センサ１０と、例えば無線により通信可能であり、これらのセンサから送信された生体情報を、通信網３２を介してデータサーバ１に送信する機能を備えている。
【００２３】
圧力センサ４は、例えば監視対象者のベッド等の寝具に設置されたサーミスタ、導電性シーツ、電極センサ等を含む。サーミスタは、例えば寝具のシーツの下に一列に配置され、温度変化を検出することにより監視対象者の起床、就寝等の睡眠習慣や睡眠中の体動を計測することが可能である。導電性シーツは、例えば導電性の布をシーツの一部に構成したものであり、監視対象者の心電図及び呼吸を検出することが可能である。電極センサは、例えば弾性体のシートの両面に電極が貼り付けられてシーツの下に設置されたものであり、監視対象者の体動、心拍数、呼吸等を計測することが可能である。また、圧力センサ４は、これらの計測した生体情報を無線により監視ユニット３に送信する機能を有する。
【００２４】
バイオセンサ５は、例えば監視対象者の自宅９のトイレの便座に設置されたロードセル及び成分の計測器を含む。ロードセルは、例えば便器に設置され、監視対象者が便座に座った際の圧力を検出することが可能である。この圧力を検出することで計測を開始し、便座と床の荷重量を除いて荷重を計測することにより監視対象者の体重を計測することが可能である。また、監視対象者の体重の変化量を計測することで排尿、排便等の排泄量や排尿速度を計測することが可能である。さらにロードセルは、便座に設けられた２つの電極によって監視対象者の体内に電流を流してその抵抗値を計測することにより体脂肪率を計測することが可能である。成分計測器は、例えば便器の中に埋め込まれる等により設置され、尿や便の成分や量、におい、血糖値等を計測することが可能である。バイオセンサ５は、監視対象者が便座から離れることにより圧力が無くなったことをロードセルにより検出し、これらの計測した生体情報を無線により監視ユニット３に送信する機能を有する。
【００２５】
血圧・心電図計測センサ６は、例えば監視対象者の自宅９の浴槽に設置された電極を含む。この電極は、浴槽の内面に設置され、入浴中に監視対象者の心電図、心拍数及び血圧を計測することが可能である。また、血圧・心電図計測センサ６は、これらの計測した生体情報を無線により監視ユニット３に送信する機能を有する。
【００２６】
アドバイザの端末７は、例えば、パーソナルコンピュータ（ＰＣ）、携帯端末、インターネット等への接続機能付きの携帯電話等である。当該アドバイザの端末７は、ＣＰＵ等より構成される制御部、メモリ、ハードディスク等の記憶部、液晶ディスプレイ等の表示部、キーボード、マウス等の入力部、通信網３２を介して健康管理センタのデータサーバ１と通信を行う通信制御部等を備えている。また、当該アドバイザの端末７では、その記憶部に、ＨＴＭＬデータやＸＭＬデータを表示データに変換するブラウザプログラムがインストールされている。
【００２７】
監視対象者の自宅９には、気温や湿度等の環境情報を計測する温度計及び湿度計等も設置されている。
【００２８】
携帯型生体情報検出センサ１０は、例えば監視対象者が身につけるウェアラブル型のものであって、２４時間監視対象者の体動、体温及び発汗等を計測することが可能である。携帯型生体情報検出センサ１０は、これらの計測した生体情報を無線により監視ユニット３に送信する機能を有する。
【００２９】
端末３０、３１は、携帯端末、インターネット等への接続機能付きの携帯電話等である。当該端末３０、３１は、ＣＰＵ等より構成される制御部、メモリ、ハードディスク等の記憶部、液晶ディスプレイ等の表示部、キーボード、マウス等の入力部、通信網３２を介して健康管理センタのデータサーバ１と通信を行う通信制御部等を備えている。また、当該端末３０、３１では、その記憶部に、ＨＴＭＬデータやＸＭＬデータを表示データに変換するブラウザプログラムがインストールされている。
【００３０】
通信網３２は、インターネット、公衆網、無線通信網等の通信網である。
【００３１】
続いて図４のフローチャートを用いて本実施の形態にかかる健康情報管理システムの処理フローについて説明する。まず監視対象者は、アンケートを入力し登録を行う（Ｓ４０１）。監視対象者は、端末２により本システムのサイトにアクセスする。監視対象者は、端末２により通信網３２を介して本システムのサイトに設けられたホームページ上より図６に示すアンケート登録画面のウェブデータをダウンロードする。そして監視対象者は、端末２によりこのアンケート登録画面に従って氏名、住所、電話番号、緊急時連絡先、保険証番号、主治医、健康診断を受けた場所、既往病、現在服用している薬、過去１ヶ月の通院歴等の登録情報を入力しデータサーバ１に送信する。
【００３２】
次に、データサーバ１は、登録情報を受信すると監視対象者の健康レベルの設定を行う（Ｓ４０２）。ここで、健康レベルとは、監視対象者の健康状態や病状の変化等を正確に把握するために必要とされる生体情報の種類や種別等を設定するための情報である。データサーバ１は、登録情報に基づいて例えば、監視対象者に既往症がなく特に異常が無い場合には健康レベル１に設定する。また、監視対象者に既往症があり定期的に医者の診断を受けている、若しくは健康診断で何らかの異常がみつかり服薬等を受けている場合には、健康レベル２に設定する。監視対象者が医者に病気と診断されて治療中であり、定期的な医者の診察と検査を受けている場合（例えば慢性疾患である、長期入院経験があり通院加療中である又は介護が必要である等の場合）には、健康レベル３に設定する。ここでは、例えば健康レベル３に設定したものとする。そして、データサーバ１は、この健康レベルの情報と登録情報とを関連付け、さらにこれらの情報に識別ＩＤ及びパスワードを割振り監視対象者情報記憶部１５１に格納する。また、データサーバ１は、健康レベルの情報、識別ＩＤ及びパスワードを監視対象者の端末２及び監視ユニット３に送信する。
【００３３】
監視対象者の端末２は、識別ＩＤ及びパスワードを受信すると表示部２５に表示するとともに、記憶部２３に格納する。監視対象者は、表示部２５に表示された健康レベルの情報、識別ＩＤ及びパスワードを確認する。このとき、監視対象者は上述のような各種のセンサ４、５、６、１０を配送等により取得し、自宅９の寝室、トイレ、浴室等の所定の箇所に設置する。また監視ユニット３は、識別ＩＤを受信すると記憶部に格納する。
【００３４】
次に監視対象者は、生体情報の入力を開始する（Ｓ４０３）。図７に示す表より、監視対象者は健康レベル３の情報に基づいて、健康レベル１、２及び３の項目全てを加えて、例えば監視対象者の体重、体脂肪率、心電図、体温、呼吸、体動、尿成分、排泄量、歩数、身体活動、温度計、湿度計、気圧計、血圧、心電図、脳波、酸素飽和度、血糖値、筋電図等を含む生体情報を計測する。ここで、健康レベルが１又は２等の場合には、図７に示す表に従って各々の健康レベルに応じて生体情報を計測する。監視対象者は、日常生活の排泄や入浴、就寝、外出等において、各種のセンサ４、５、６、１０により各種の生体情報を計測する。そして、監視ユニット３は、無線により生体情報を受信すると通信網３２を介してデータサーバ１に送信する。このとき、監視ユニット３は、生体情報に識別ＩＤを添付して送信する。
【００３５】
データサーバ１は、生体情報及び識別ＩＤを受信すると生体情報記憶部１５３に格納する。このとき、データサーバ１は、生体情報の入力の最初の所定の期間に受信した生体情報に基づいて診断情報を作成し、識別ＩＤと関連付けて診断情報記憶部１５２に格納する。ここで、診断情報に含まれる閾値情報は、例えば、図１０の生体情報のデータに示すような監視対象者の体重、体温、尿成分、心電図及び脈波等の情報から、標準値やパターン波形等をモデル化し、このモデル化した標準値や波形に基づいた閾値の情報である。生活パターン情報は、監視対象者の、起床や入浴、排泄等の生活のパターンに関する情報であり、例えば生体情報を計測した時刻等に基づいて作成される。この生活パターン情報には、監視対象者が１つの行動に要する時間に関する情報等も含まれている。そして、データサーバ１は、引き続いて生体情報を受信し生体情報記憶部１５３に格納する。
【００３６】
次にデータサーバ１は、生体情報を受信した際に異常判断処理を実行する（Ｓ４０４）。この処理については後に詳述する。
【００３７】
次に、異常判断処理ステップ（Ｓ４０４）において異常との判断処理がなされた場合には、データサーバ１は、健康アドバイスを提示する処理を実行する（Ｓ４０５）。データサーバ１は、閾値情報に関連付けられた識別ＩＤに基づいて生体情報記憶部１５３より生体情報を読み出し、アドバイザの端末７に送信する。
【００３８】
アドバイザの端末７は、生体情報を受信すると表示部に表示する。アドバイザは、この生体情報を確認すると端末７により、図１１（ａ）に示すような監視対象者の健康に対するアドバイスを入力し、この健康アドバイス情報をデータサーバ１に送信する。
【００３９】
データサーバ１は健康アドバイス情報を受信すると、さらに監視対象者の端末２に送信し、監視対象者の端末２は受信すると表示部２３に表示する。監視対象者は、この健康アドバイス情報を確認することにより適切かつ効果的な健康管理を実現することが可能である。このように、監視対象者の自宅のトイレや、浴槽、寝具等に各種のセンサを設置し、監視対象者の健康レベルに応じて生体情報を計測することで、監視対象者の健康状態や、体調及び病状の変化等に対して常に正確に把握することができる。また、データサーバ１が生体情報を受信した際に異常判断処理を行うので、疾病や病気又は体調の変化を早期に発見することができる。さらに、異常との判断処理をした際には、即時にアドバイザの端末７に生体情報が送信され健康アドバイス情報を取得して監視対象者に提示することができるので、適切かつ効果的な健康管理を実現することができる。また、上述の異常判断処理ステップ（Ｓ４０４）において正常との判断がなされた場合には、図１１（ｂ）に示すような、現在の状態をそのまま維持すべき旨の健康アドバイス情報を定期的に送信する。
【００４０】
また、このときデータサーバ１は、必要ならばアドバイザに相談すべき旨を監視対象者の端末２に送信する。
【００４１】
監視対象者は、端末２がこのメッセージを受信し表示することにより確認し、アドバイザに相談する場合には、端末２により本システムのサイトにアクセスし、相談を受ける旨及び質問内容を入力してデータサーバ１に送信する。
【００４２】
データサーバ１は、これらの情報を受信すると質問内容をアドバイザの端末７に送信する。アドバイザの端末７が質問内容を受信し表示することによりアドバイザがこれを確認すると、アドバイザは端末７により回答を入力しデータサーバ１に送信する。
【００４３】
データサーバ１は、回答を受信するとさらに監視対象者の端末２に送信する。そして、監視対象者の端末２が回答を受信し表示することで、監視対象者はこれを確認することができ、適切かつ効果的な健康管理を実現することができる。
【００４４】
次に、データサーバ１は、識別ＩＤに基づいて監視対象者情報記憶部１５１より登録情報を読み出し、監視対象者に通報すべき旨とともに表示部１３に表示する（Ｓ４０６）。本システムの担当者は、この表示を確認すると、監視対象者又は緊急連絡先に連絡をとり、監視対象者の健康状態を確認する。
【００４５】
本システムの担当者はデータサーバ１により、アドバイザ情報記憶部１５５に格納された図１２に示すような健康アドバイス情報の管理リストを表示させることで、異常判断処理された監視対象者を確認することができる。本システムの担当者は、これにより異常判断された監視対象者に対して、特に注意を払うとともに緊急事態等に対して備えることができる。
【００４６】
また監視対象者は、端末２、３０又は３１等により本システムのサイトにアクセスし、識別ＩＤ及びパスワードを入力して、例えば図１０、１３に示すような自己の生体情報のリストを閲覧することが可能である。監視対象者は、これらのリストにより自己の健康状態を確認することができる。
【００４７】
なお、健康レベルの設定（Ｓ４０２）は、最初は監視対象者の登録情報に基づいて設定されるが、生体情報が計測され生体情報記憶部１５３に蓄積された段階でこの健康レベルの設定を見直すようにしても良い。例えば異常との判断が継続してなされた場合には、健康レベルを１から２又は２から３に設定し直す等である。
【００４８】
続いて本実施の形態の健康情報管理システムの処理フローにおける異常判断処理ステップ（Ｓ４０４）について説明する。まずデータサーバ１は、生体情報を受信すると生体情報記憶部１５３からその生体情報及び識別ＩＤを読み出す。
【００４９】
データサーバ１は、各種のセンサ４、５、６又は１０から送信された情報に含まれる信号の変換処理を実行する（Ｓ５０１）。例えばデータサーバ１は、生体情報に含まれる、心電図の情報を含む信号を変換し、図９に示すように、心電図を作成する。またデータサーバ１は、同様にして各種の生体情報を含む信号を変換し、他の各種のデータを作成する。
【００５０】
次にデータサーバ１は異常判断手段１６により、生体情報を閾値情報と比較する処理を実行する（Ｓ５０２、Ｓ５０３）。データサーバ１は、この生体情報に関連付けられた識別ＩＤに基づいて診断情報記憶部１５２から監視対象者の診断情報を読み出す。そして、データサーバ１は、各種のデータを、各々の閾値情報又は生活パターン情報と照合し異常か否かの判断処理を実行する。例えば、データサーバ１は、データの計測数値を閾値情報と照合し閾値の上限値及び下限値の範囲内にあるか否かを判断する。さらに、データサーバ１は、生体情報に含まれる、起床や外出、入浴、排泄等の行動を行う時刻や、それらの行動に要する時間等の情報を生活パターン情報と照合する。
【００５１】
データサーバ１は、生体情報が閾値情報の範囲外の数値やデータを有する場合や、閾値付近の数値やデータが過去の所定の時期から継続している場合には、異常との判断処理を実行する（Ｓ５０４）。そしてデータサーバ１は、健康アドバイスの提示（Ｓ４０５）等の処理を実行する。また、閾値範囲内の数値やデータが例えば過去３ヶ月以上継続している場合には、データサーバ１は、生体情報に関連付けられた識別ＩＤに基づいて監視対象者情報記憶部１５１から監視対象者のメールアドレスを読み出す。そしてデータサーバ１は、そのままの状態を維持すべき旨を監視対象者の端末２に送信する。このような処理により、監視対象者はデータサーバ１より送信されたメッセージを確認することで自己の健康状態や健康管理について再確認することができる。
【００５２】
データサーバ１は、例えば血圧又は心拍数等が閾値情報の範囲から大きく外れる数値やデータを有する場合や、ひとつの場所に滞在する時間が長い場合等の監視対象者の生命の危険が想定される数値やデータを有する場合には、緊急事態との判断処理をし、自動通報処理を実行する（Ｓ５０４）。ひとつの場所に滞在する時間が長い場合には、入浴や排泄の時間が１時間以上継続している場合等が具体例として挙げられる。データサーバ１は、生体情報に関連付けられた識別ＩＤに基づいて監視対象者情報記憶部１５１から監視対象者の登録情報及び健康レベルの情報を読み出す。そしてデータサーバ１は、緊急事態である旨とともに登録情報及び健康レベルの情報を表示部１３に表示する。本システムの担当者は、表示部１３に表示された監視対象者の登録情報に基づいてかかりつけの病院又は救急車等を手配する。この自動通報処理は、例えば２４時間体制で実行される。このようにデータサーバ１が、生体情報を受信した際に異常判断処理を実行し監視対象者の健康状態や行動等をチェックするので、監視対象者の疾病、病気の予兆等を早期に発見することができ、また監視対象者の行動に異変や異常がある場合にも、２４時間迅速に即時対応することができる。さらに本システムの担当者は、緊急事態である旨及び入院している病院の名称、住所及び電話番号等を緊急連絡先にも連絡する。
【００５３】
さらに、データサーバ１は、例えば１つの行動に要する時間が生活パターン情報に含まれる時間よりも長い場合には、連絡を促す処理を実行する。データサーバ１は、生体情報に関連付けられた識別ＩＤに基づいて監視対象者記憶部１６１から監視対象者の登録情報及び健康レベルの情報を読み出す。そしてデータサーバ１は、登録情報及び健康レベルの情報を連絡すべき旨とともに表示部１３に表示する。本システムの担当者は、表示部１３に表示された監視対象者の登録情報に基づいて監視対象者の自宅や監視対象者の緊急連絡先に連絡する。そして本システムの担当者は、監視対象者の現在状況や健康状態等を確認する。
【００５４】
自動通報処理（Ｓ５０４）は、データサーバ１が識別ＩＤに基づいて監視対象者情報記憶部１５１から監視対象者の登録情報を引き出し、緊急事態である旨とともに病院等に設置された端末に送信し病院の担当者が端末によりこれを確認すると、救急車等を手配することとしても良い。
【００５５】
また、生体情報記憶部１５３に格納された蓄積された過去の生体情報の異常判断処理も実行する。そして、生体情報を過去のものと比較して現在大きく変化している等の場合には異常との判断処理を実行し、健康アドバイスの提示（Ｓ４０５）等の処理を実行する。
【００５６】
以上のように、本発明にかかる健康情報管理システムにおいては、登録された監視対象者の生体情報を一括管理するデータサーバを有する監視センタを備えている。そして、日常生活において生体情報を常時計測して生体情報が異常か否かの判断処理を実行し、異常との判断処理をした場合には、アドバイザからの健康アドバイスを監視対象者の端末２に送信し表示させるので、適切な健康管理を実現することができる。さらに、緊急事態との判断処理をした場合には、自動通報を実行し迅速にかかりつけの病院や救急車を手配するので、監視対象者が緊急事態により病院等に連絡することが不可能な場合にも即時対応することができる。
【００５７】
その他の実施の形態．
上述の例において、データサーバ１や監視対象者の端末２等の記憶部にインストールされた各種のプログラムは、様々な種類の記憶媒体に格納することが可能であり、また、通信媒体を介して伝達されることが可能である。ここで、記憶媒体には、例えば、フレキシブルディスク、ハードディスク、磁気ディスク、光磁気ディスク、ＣＤ−ＲＯＭ、ＤＶＤ、ＲＯＭカートリッジ、バッテリバックアップ付きＲＡＭメモリカートリッジ、フラッシュメモリカートリッジ、不揮発性ＲＡＭカートリッジ等を含む。また、通信媒体には、電話回線等の有線通信媒体、マイクロ波回線等の無線通信媒体等を含み、インターネットも含まれる。
【００５８】
また、アドバイス情報を提示する処理（Ｓ４０５）は、生体情報の各種の異常の判断処理に対応した健康アドバイス情報を予めアドバイザ情報記憶部１５５に格納しておき、異常の判断処理の際には、その異常に対応した健康アドバイス情報を監視対象者の端末２に送信し表示部２５に表示させることとしても良い。
【００５９】
健康アドバイス情報は、例えばアドバイザ情報記憶部１５５等に格納され、監視対象者が端末２により本システムのサイトにアクセスして、いつでも閲覧することができることとしても良い。
【００６０】
バイオセンサ５は、便座の所定の２箇所に設けられた電極により監視対象者の心電図や心拍数が計測可能としても良い。
【００６１】
また、健康レベルに応じて生体情報の種類を変えるだけでなく、計測頻度を変えることとしても良い。例えば、健康レベル１よりも健康レベル３の方が計測頻度を高く設定する等である。
【００６２】
【発明の効果】
本発明により、監視対象者の適切な健康管理を実現することができる健康情報管理システムを提供することができる。
【図面の簡単な説明】
【図１】本発明にかかる健康情報管理システムのシステム構成図である。
【図２】本発明にかかる健康情報管理システムのデータサーバ１及び監視対象者の端末２の構成例を示す図である。
【図３】本発明にかかる健康情報管理システムの記憶部１５のデータ構成を示す図である。
【図４】本発明にかかる健康情報管理システムの処理フローを示すフローチャートである。
【図５】本発明にかかる健康情報管理システムの異常判断ステップの処理フローを示すフローチャート図である。
【図６】本発明にかかる監視対象者の登録画面を示す図である。
【図７】本発明にかかる監視対象者の健康レベルに関する画面表示例を示す図である。
【図８】本発明にかかる健康レベルと計測する生体情報の対応に関する画面表示例を示す図である。
【図９】本発明にかかる健康情報管理システムの心電図の信号の変換処理の様子を示す図である。
【図１０】本発明にかかる健康情報管理システムの生体情報のリストを示す図である。
【図１１】本発明にかかる健康情報管理システムの健康アドバイスの画面表示例を示す図である。
【図１２】本発明にかかる健康情報管理システムの健康アドバイスの管理リストを示す図である。
【図１３】本発明にかかる健康情報管理システムの生体情報の入力データリストの画面表示例を示す図である。
【符号の説明】
１  データサーバ  ２  監視対象者の端末  ３  監視ユニット
４  圧力センサ  ５  バイオセンサ  ６  血圧・心電図計測センサ
７  アドバイザの端末  ８  監視センタ  ９  監視対象者の自宅
１０  携帯型生体情報検出センサ
１１  制御部  １２  通信制御部  １３  表示部  １４  操作部
１５  記憶部  １６  異常判断手段
２１  制御部  ２２  通信制御部  ２３  記憶部  ２４  入力部
２５  表示部
１５１  監視対象者情報記憶部  １５２  診断情報記憶部
１５３  生体情報記憶部  １５４  連絡情報記憶部
１５５  アドバイザ情報記憶部
３０、４０  端末  ５０  通信網
【図１】
0004035360.tif 000002
【図２】
0004035360.tif 000003
【図３】
0004035360.tif 000004
【図４】
0004035360.tif 000005
【図５】
0004035360.tif 000006
【図６】
0004035360.tif 000007
【図７】
0004035360.tif 000008
【図８】
0004035360.tif 000009
【図９】
0004035360.tif 000010
【図１０】
0004035360.tif 000011
【図１１】
0004035360.tif 000012
【図１２】
0004035360.tif 000013
【図１３】
0004035360.tif 000014